(57)【要約】【課題】情報端末における撮像部及び可動部を作動させる駆動機構において、小型かつ軽量な構成とする。【解決手段】駆動機構において、撮像素子を含んで構成され、本体部から突出可能に収容された撮像部と、前記本体部に対して可動な可動部と、前記撮像部及び前記可動部に連結された動力伝達部と、前記動力伝達部を駆動するモータと、を備え、前記動力伝達部は、前記モータの作動に応じて所定の方向に移動しつつ、前記撮像部及び前記可動部を異なる態様で作動させる構成とする。【選択図】図４
2020088418.tif 000002
【特許請求の範囲】
【請求項１】
撮像素子を含んで構成され、本体部から突出可能に収容された撮像部と、
前記本体部に対して可動な可動部と、
前記撮像部及び前記可動部に連結された動力伝達部と、
前記動力伝達部を駆動するモータと、を備え、
前記動力伝達部は、前記モータの作動に応じて所定の方向に移動しつつ、前記撮像部及び前記可動部を異なる態様で作動させる、
駆動機構。
【請求項２】
前記動力伝達部は、前記モータの作動に応じて、第１のタイミングで前記可動部を作動させ、第２のタイミングで前記撮像部を作動させる、
請求項１に記載の駆動機構。
【請求項３】
前記可動部は、前記動力伝達部に向かって突出する第１凸部を有し、
前記撮像部は、前記動力伝達部に向かって突出する第２凸部を有し、
前記動力伝達部は、前記第１凸部が挿入される第１凹部と、前記第２凸部が挿入される第２凹部とを有する、
請求項１または請求項２に記載の駆動機構。
【請求項４】
前記第１凹部は、直線状に延びる第１部分と、前記第１部分とは異なる方向に延びる第２部分とを有し、
前記第２凹部は、直線状に延びる第３部分と、前記第３部分とは異なる方向に延びる第４部分とを有し、
前記第１凸部が前記第１部分に位置し、前記第２凸部が前記第４部分に位置する第１状態と、
前記第１凸部が前記第２部分に位置し、前記第２凸部が前記第３部分に位置する第２状態と、が存在する、
請求項３に記載の駆動機構。
【請求項５】
前記可動部は、前記撮像部を収容する前記本体部のカバーである、
請求項１から請求項４のいずれか１項に記載の駆動機構。
【請求項６】
前記可動部が第２の撮像部である、
請求項１から請求項４のいずれか１項に記載の駆動機構。
【請求項７】
請求項１から請求項７のいずれかに記載の駆動機構を備える情報端末。
【発明の詳細な説明】
【技術分野】
【０００１】
本発明の一態様は、駆動機構、及び駆動機構を備える情報端末等に関する。
【背景技術】
【０００２】
近年、広く流通しているスマートフォン及びタブレット等の情報端末は、静止画及び動画を撮像可能な撮像装置を備える構成のものが多い。このような情報端末では、液晶などの表示装置と同じ面を向いて配置されたフロントカメラと、フロントカメラとは反対側を向いて配置されたリアカメラとを備える構成になっているものがある。特許文献１には、このような情報端末において、表示装置のサイズを最大化するために、情報端末の本体内部に収容可能なカメラを備える構成が開示されている。
【先行技術文献】
【特許文献】
【０００３】
【特許文献１】米国特許出願公開第２０１７／０１２６９７９号明細書
【発明の概要】
【発明が解決しようとする課題】
【０００４】
スマートフォンなどの情報端末は、持ち運びやすくするために常に小型化及び軽量化が求められている。上記特許文献１に記載の構成では、カメラが情報端末の本体内部に収容されるよう作動する構成になっているものの、カメラを収容し、突出させる駆動機構について改良の余地があった。
【課題を解決するための手段】
【０００５】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
撮像素子を含んで構成され、本体部から突出可能に収容された撮像部（３）と、
前記本体部に対して可動な可動部（２）と、
前記撮像部及び前記可動部に連結された動力伝達部（４、１４、または２４）と、
前記動力伝達部を駆動するモータと、を備え、
前記動力伝達部（４、１４、または２４）は、前記モータの作動に応じて所定の方向に移動しつつ、前記撮像部及び前記可動部を異なる態様で作動させる、
駆動機構である。
【０００７】
上記構成の駆動機構によれば、１つのモータで撮像部と可動部とを異なる態様で作動可能となるため、例えば、撮像部と、撮像部用のカバーとを１つのモータで駆動可能な構成とすることができる。これにより、撮像部及び可動部のために個別のモータを含む構成と比較して、小型かつ軽量な構成にすることなどが可能となる。
【０００８】
上記駆動機構において、好ましくは、
前記動力伝達部（４、１４、または２４）は、前記モータの作動に応じて、第１のタイミングで前記可動部を作動させ、第２のタイミングで前記撮像部を作動させる。
【０００９】
上記構成の駆動機構によれば、可動部と撮像部とが異なるタイミングで作動する構成とすることができる。これにより、例えば、撮像装置用のカバーを開放する動きと、撮像部を突出させる動きとを１つのモータで実現させることができる。ひいては、撮像部及び可動部のために個別のモータを含む構成と比較して、小型かつ軽量な構成にすることなどが可能となる。
【００１０】
上記駆動機構において、好ましくは、
前記可動部は、前記動力伝達部に向かって突出する第１凸部（２ａ）を有し、
前記撮像部は、前記動力伝達部に向かって突出する第２凸部を（３ａ）有し、
前記動力伝達部（４）は、前記第１凸部が挿入される第１凹部（４１）と、前記第２凸部が挿入される第２凹部（４２）とを有する、
【００１１】
上記構成の駆動機構によれば、可動部及び撮像部の凸部が動力伝達部の凹部に挿入され、動力伝達部の作動に応じて可動部及び撮像部が作動する簡易な構成にすることができる。
【００１２】
上記駆動機構において、好ましくは、
前記第１凹部は、直線状に延びる第１部分（４１ａ〜４１ｂ）と、前記第１部分とは異なる方向に延びる第２部分（４１ｂ〜４１ｃ）とを有し、
前記第２凹部は、直線状に延びる第３部分（４２ｂ〜４２ｃ）と、前記第３部分とは異なる方向に延びる第４部分（４２ａ〜４２ｂ）とを有し、
前記第１凸部が前記第１部分（４１ａ〜４１ｂ）に位置し、前記第２凸部が前記第４部分（４２ａ〜４２ｂ）に位置する第１状態と、
前記第１凸部が前記第２部分（４１ｂ〜４１ｃ）に位置し、前記第２凸部が前記第３部分（４２ｂ〜４２ｃ）に位置する第２状態と、が存在する。
【００１３】
上記構成の駆動機構によれば、第１凸部及び第２凸部がそれぞれ直線状の第１部分及び第３部分に位置している状態では、動力伝達部が作動しても可動部及び撮像部が作動せず、第１凸部及び第２凸部がそれぞれ第２部分及び第４部分に位置している状態では、動力伝達部の作動にあわせて可動部及び撮像部が作動する構成とすることができる。これにより、簡易な構成で、モータにより駆動される動力伝達部の作動に合わせて、可動部と撮像部とが異なるタイミングで作動する構成にすることができる。
【００１４】
上記駆動機構において、好ましくは、
前記可動部は、前記撮像部を収容する前記本体部のカバーである。
【００１５】
上記構成の駆動機構によれば、撮像部と、撮像部収容のためのカバーとを１つのモータで電気的に駆動可能な構成とすることができる。これにより、撮像部とカバーとを有する構成を、小型かつ軽量に実現することができる。
【００１６】
上記駆動機構において、好ましくは、
前記可動部が第２の撮像部である。
【００１７】
上記構成の駆動機構によれば、例えば、２つのフロントカメラを有する装置において、一方のカメラだけを本体部から突出させた状態と、双方のカメラを本体部から突出させた状態とを、１つのモータで電気的に切り替え可能な構成とすることなどが可能となる。
【００１８】
また、本発明は、上記いずれかの駆動機構を備える、スマートフォン、タブレット機器、及びＰＣ（Ｐｒｅｓｏｎａｌ  Ｃｏｍｐｕｔｅｒ）などの情報端末を含む。
【００１９】
上記構成の情報端末によれば、例えば、撮像部（例えばフロントカメラ）と撮像部収容のためのカバー（例えばフロントカメラ用カバー）とを１つのモータで電気的に駆動可能な構成の情報端末にすることができる。これにより、撮像部とカバーとを有する情報端末を、薄型、小型、及び軽量な構成とすることなどが可能となる。
【図面の簡単な説明】
【００２０】
【図１】図１は、カメラ３が本体部５に収容され、カバー２が閉じた状態のスマートフォン１の外観斜視図である。
【図２】図２は、カメラ３が本体部５に収容され、カバー２が開いた状態のスマートフォン１の外観斜視図である。
【図３】図３は、カバー２が開き、カメラ３が本体部５から突出した状態のスマートフォン１の外観斜視図である。
【図４】図４は、図１の状態のスマートフォン１斜視透過図である。
【図５】図５は、図２の状態のスマートフォン１斜視透過図である。
【図６】図６は、図３の状態のスマートフォン１斜視透過図である。
【図７】図７は、実施形態の動力伝達部４をｚ軸−側から見た図である。
【図８】図８は、実施形態の動力伝達部４をｚ軸＋側から見た図である。
【図９】図９は、変形例１における動力伝達部１４を、ｚ軸−側から見た動力伝達部４を示す図である。
【図１０】図１０は、変形例２における動力伝達部２４を、ｚ軸−側から見た動力伝達部４を示す図である。
【発明を実施するための形態】
【００２１】
本発明の駆動機構は、１つのモータでフロントカメラとカバーとを作動させるために、モータとフロントカメラ及びカバーとの間に、動力を伝達する動力伝達部が配置された構成としている点を特徴のひとつとする。
【００２２】
本発明の具体的な構成例としての実施形態について、以下の構成にしたがって説明する。ただし、以下で説明する実施形態はあくまで本発明の一例にすぎず、本発明の技術的範囲を限定的に解釈させるものではない。
１．実施形態
２．変形例
（１）変形例１
（２）変形例２
（３）その他の変形例
３．本発明の特徴
４．補足事項
【００２３】
＜１．実施形態＞
本発明の一実施形態について、図１〜図８を参照しながら説明する。図１〜図３は本実施形態のスマートフォン１の斜視外観図である。図１は、カメラ３が本体部５に収容され、カバー２が閉じた状態を示す。図２は、カメラ３が本体部５に収容され、カバー２が開いた状態を示す。図３は、カバー２が開き、カメラ３が本体部５から突出した状態を示す。図４〜図６は、本実施形態のスマートフォン１の斜視透過図である。図４〜図６は、それぞれ図１〜図３の状態に対応している。図７及び図８は、スマートフォン１の動力伝達部４の拡大平面図である。図７はｚ軸−側から見た図、図８はｚ軸＋側から見た図である。
【００２４】
図示されるように、本実施形態のスマートフォン１は、本体部５、カバー２、カメラ３、及び動力伝達部４を含んで構成される。図には示していないが、スマートフォン１は、動力伝達部４を駆動するモータを含む。
【００２５】
各図面にはｘ軸、ｙ軸およびｚ軸を示している。動力伝達部４が移動する方向を「ｘ軸」としている。ｘ軸に対して垂直な軸であって、カメラ３が突出する方向を「ｙ軸」としている。ｘ軸及びｙ軸に対して垂直な軸を「ｚ軸」としている。ｘ軸、ｙ軸およびｚ軸は３次元の直交座標を形成する。ｘ軸の矢印方向をｘ軸＋側、矢印と反対の方向をｘ軸−側と呼ぶことがあり、ｙ軸及びｚ軸についても同様である。ｚ軸＋側を「フロント側」、ｚ軸−側を「リア側」と呼ぶことがある。
【００２６】
＜スマートフォン１＞
スマートフォン１は、携帯電話として機能する通信端末である。スマートフォン１は、周知のように、表示部、操作部、制御部、及び通信部などを含んで構成される。スマートフォン１は、本発明の「情報端末」の一具体例である。
【００２７】
＜カメラ３＞
カメラ３は、スマートフォン１の表示部側に向かって配置された撮像装置であって、静止画及び動画を撮像可能である。カメラ３は、所謂フロントカメラであって、ｚ軸＋側を撮像する。カメラ３は、レンズ、シャッタ、及び撮像素子を含む。カメラ３は、手振れ補正機構、ズーム機構、及び絞り機構などを含んでもよい。
【００２８】
カメラ３は、スマートフォン１の本体部５に収容可能であって、スマートフォン１のｙ軸＋側の端部からｙ軸＋側に突出可能に配置される。カメラ３が突出するｙ軸＋側のスマートフォン１の端部は、カバー２により覆われる開口部が形成されている。カメラ３は、動力伝達部４に向かって突出する円筒状の凸部３ａを有する。凸部３ａは、動力伝達部４のカム溝４２に挿入される。カメラ３は、凸部３ａを介して動力伝達部４から動力を受け、ｙ軸に移動することで、スマートフォン１の本体部５から突出したり収容されたりする。カメラ３は、本発明の「撮像部」の一具体例である。凸部３ａは、本発明の「第２凸部」の位置具体例である。
【００２９】
＜カバー２＞
カバー２は、カメラ３の収容部分の開口部を開閉するための蓋である。カバー２は、可撓性を有する金属または樹脂などの部材で形成され、本体部５のｙ軸＋側とｚ軸−側の縁部に沿って湾曲しながら移動する。つまり、カバー２は、本体部５に対して可動である。
【００３０】
カバー２は、本体部５に収容可能であって、ｚ軸及びｙ軸と、ｚ軸とｙ軸とを繋ぐ縁部に沿って移動する。カバー２は、動力伝達部４に向かって突出する円筒状の凸部２ａを有する。凸部２ａは、動力伝達部４のカム溝４１に挿入される。カバー２は、凸部２ａを介して動力伝達部４から動力を受け、ｚ軸及びｙ軸に移動することで、本体部５に収容されたカメラ３の出入口となる開口部を開閉する。カバー２は、本発明の「可動部」の一具体例である。凸部２ａは、本発明の「第１凸部」の位置具体例である。
【００３１】
＜本体部５＞
本体部５は、スマートフォン１の本体部分である。本体部５のｚ軸＋側には、液晶表示装置または有機ＥＬ表示装置などの表示部が配置されている。表示部は、本体部５のｚ軸＋側の略全面を覆い、スマートフォン１のｚ軸＋側の面とｙ軸の面とを繋ぐ、湾曲した角部の一部をも覆う。この表示部には、ユーザが視認可能な画像が表示される。
【００３２】
＜動力伝達部４＞
動力伝達部４は、断面が矩形状で板状の部材であって、図示しないモータにより駆動される。例えば、動力伝達部４は、モータにより駆動される歯車に連結された直線状のラックギアを有し、このラックギアを介してモータから動力を受ける。動力伝達部４は、モータの回転に伴い、ｘ軸に沿って移動する。動力伝達部４は、図４〜図８に示されるようなカム溝４１及び４２を有する。カム溝４１は、動力伝達部４のｚ軸−側の面に溝状に形成され、カム溝４２は、動力伝達部４のｚ軸＋側の面に溝状に形成される。図４〜図６に示されるように、カム溝４１にはカバー２の凸部２ａが挿入され、カム溝４２にはカメラ３の凸部３ａが挿入される。
【００３３】
主に図７及び図８に示されるように、カム溝４１は、ｘ軸−側の端部４１ａからｘ軸＋側の端部４１ｃまでの領域に形成され、ｘ軸に沿って直線状に延びる４１ａから４１ｂまでの部分と、ｘｙ平面において斜め方向に延びる４１ｂから４１ｃまでの部分とを有する。カム溝４２は、ｘ軸−側の端部４２ａからｘ軸＋側の端部４２ｃまでの領域に形成され、ｘｙ平面において斜め方向に延びる４２ａから４２ｂまでの部分と、ｘ軸に沿って直線状に延びる４２ｂから４２ｃまでの部分とを有する。
【００３４】
動力伝達部４がｘ軸方向に移動すると、動力伝達部４のｘ軸方向の位置に応じて、カム溝４１とカバー２の凸部２ａとのｙ軸方向の連結位置、及びカム溝４２とカメラ３の凸部３ａとのｙ軸方向の連結位置が変化する。つまり、動力伝達部４がｘ軸方向に移動することで、凸部２ａを介してカバー２がｙ軸方向に移動し、凸部３ａを介してカメラ３がｙ軸方向に移動する。
【００３５】
より具体的には、動力伝達部４がｘ軸−方向の移動終端位置に位置しているとき、凸部２ａはカム溝４１の４１ｃの位置にあり、凸部３ａはカム溝４２の４２ｃの位置にある（図４参照）。この状態から、モータが作動して動力伝達部４がｘ軸＋方向に移動すると、凸部２ａとカム溝４１、及び凸部３ａとカム溝４２の連結位置が変化する。これにより、カム溝４１に挿入された凸部２ａは、相対的に、ｘ軸−側に移動するとともに、ｙ軸−側に移動する。凸部２ａがｙ軸−側に移動すると、カバー２がｙ軸−側に移動する。カバー２がｙ軸−側に移動すると、カメラ３の収容部分の開口部からカバー２が退避し、カメラ３が露出した状態となる（図５参照）。
【００３６】
このとき、カム溝４２に挿入された凸部３ａは、相対的にｘ軸−側に移動するもののｙ軸方向では移動しないので、カメラ３はｙ軸方向には移動しない。凸部２ａが、カム溝４１の４１ｂの位置に到達すると、凸部２ａのｙ軸−方向への相対的な移動が完了し、動力伝達部４がｘ軸−方向にさらに移動したとしても凸部２ａはｙ軸方向へは移動しない。つまり、動力伝達部４がこれ以上ｘ軸＋方向に移動したとしても、カバー２はｙ軸方向には移動しない。
【００３７】
動力伝達部４がさらにｘ軸＋方向に移動すると、凸部２ａ及び凸部３ａはｘ軸−方向に相対的に移動し、凸部３ａがカム溝４２の４２ｂの位置に到達する。この状態から動力伝達部４がさらにｘ軸−方向に移動すると、カム溝４２に挿入された凸部３ａは、相対的に、ｘ軸−側に移動するとともに、ｙ軸＋側に移動する。凸部３ａがｙ軸＋側に移動すると、カメラ３がｙ軸＋側に移動する。カメラ３がｙ軸＋側に移動すると、カメラ３が本体部５からｙ軸＋側に向かって突出していく（図６参照）。このとき、凸部２ａはｘ軸−側に移動するもののｙ軸方向では移動しないので、カバー２はｙ軸方向には移動しない。凸部２ａ及び凸部３ａが、それぞれカム溝４１及び４２の移動終端位置４１ａ及び４２ａに到達すると、動力伝達部４はｘ軸＋方向への移動を完了する。スマートフォン１が図６の状態になると、カメラ３が本体部５から突出した、撮像可能状態となる。
【００３８】
上記とは逆に、動力伝達部４がｘ軸＋方向の移動終端位置からｘ軸−側へ移動すると、上記とは逆の作動となり、カメラ３がｙ軸−側に移動して本体部５の収容部分に収容された後、カバー２が収容部分の開口部を覆っていくよう作動する。
【００３９】
このように、モータが作動し、動力伝達部４がこのモータにより駆動されることで、カバー２及びカメラ３が異なるタイミングで作動することとなる。より具体的には、動力伝達部４がモータにより駆動されてｘ軸方向に移動するときに、ある区間ではカバー２がｙ軸方向及びｚ軸方向に移動し、ある区間ではカメラ３がｙ軸方向に移動することとなる。
【００４０】
なお、本実施形態の構成では、ｙ軸方向及びｚ軸方向においてカバー２が移動するタイミングと、ｙ軸方向においてカメラ３が移動するタイミングとは互いに重なっておらず、カバー２が作動する際にはカメラ３が停止しており、カメラ３が作動する際にはカバー２が停止していたが、これに限定されない。すなわち、カバー２とカメラ３とが同時に作動するタイミングがあってもよい。
【００４１】
なお、本実施形態では情報端末の一例としてスマートフォン１を挙げて説明したが、スマートフォン以外のタブレット機器、及びＰＣなどにも適用可能である。また、カメラ３などの撮像部とカバー２などの可動部を作動させる動力伝達部を備えた、情報端末の一部の駆動機構としても適用される。
【００４２】
＜２．変形例＞
次に、上記実施形態の変形例について説明する。本変形例では、実施形態のスマートフォン１と比較して、動力伝達部４が置き換えられている。さらに、動力伝達部４によって動力を与えられる対象が、カバー２及びカメラ３から変更されている。以下、変形例１及び変形例２について、具体的に説明する。
【００４３】
＜（１）変形例１＞
本変形例のスマートフォン１では、実施形態の動力伝達部４が、動力伝達部１４に置き換えられている。動力伝達部１４は、第１カメラ及び第２カメラを作動させる。
【００４４】
本変形例のスマートフォン１は、いずれもフロントカメラである第１カメラ及び第２カメラを有する。このスマートフォン１は、第１カメラ及び第２カメラを有することで、フロント側を、視差を有する２つのカメラにより撮像することができ、これによって、ＶＲ（Ｖｉｒｔｕａｌ  Ｒｅａｌｉｔｙ）またはＡＲ（Ａｕｇｍｅｎｔｅｄ  Ｒｅａｌｉｔｙ）などに利用される画像を取得することができる。本変形例のスマートフォン１は、第１カメラ及び第２カメラをそれぞれ収容可能な収容部分を有するが、これらの収容部分はカバーを有さない構成となっている。
【００４５】
＜動力伝達部１４＞
図９は、本変形例の動力伝達部１４の平面図である。図９に示されるように、カム溝１４１及び１４２を有する。カム溝１４１及び１４２は、いずれもｚ軸−側の面に溝状に形成され、ｚ軸＋側の面には形成されない。本変形例では、第１カメラ及び第２カメラの凸部の位置をｙ軸方向において異なる位置に配置することで、動力伝達部１４の一方の面にのみカム溝を形成する構成としている。カム溝１４１には第１カメラの凸部が挿入され、カム溝１４２には第２カメラの凸部が挿入される。
【００４６】
図９に示されるように、カム溝１４１は、ｘ軸−側の端部１４１ａからｘ軸＋側の端部１４１ｃまでの領域に形成され、ｘ軸に沿って直線状に延びる１４１ａから１４１ｂまでの部分と、ｘｙ平面において斜め方向に延びる１４１ｂから１４１ｃまでの部分とを有する。カム溝１４２は、ｘ軸−側の端部１４２ａからｘ軸＋側の端部１４２ｃまでの領域に形成され、ｘｙ平面において斜め方向に延びる１４２ａから１４２ｂまでの部分と、ｘ軸に沿って直線状に延びる１４２ｂから１４２ｃまでの部分とを有する。
【００４７】
動力伝達部１４がｘ軸方向に移動すると、動力伝達部１４のｘ軸方向の位置に応じて、カム溝１４１と第１カメラの凸部とのｙ軸方向の連結位置、及びカム溝１４２と第２カメラの凸部とのｙ軸方向の連結位置が変化する。つまり、動力伝達部１４がｘ軸方向に移動することで、第１カメラ及び第２カメラが、異なるタイミングでｙ軸方向に移動することとなる。
【００４８】
第１カメラ及び第２カメラは、いずれもｙ軸方向にのみ移動する。第１カメラ及び第２カメラが本体部５から突出した状態になると、双方のカメラで撮像可能な状態となる。具体的には、動力伝達部１４がｘ軸＋方向に移動するとき、第１カメラがｙ軸＋側に移動して本体部５から突出した後に、第２カメラがｙ軸＋側に移動して本体部５から突出する。動力伝達部１４がｘ軸方向に移動したときの第１カメラ及び第２カメラの動きは、実施形態におけるカバー２及びカメラ３の動きに類似しているため、ここではその具体的な説明を省略する。なお、一方のカメラのみを本体部５から突出させて撮像する場合があってもよい。
【００４９】
このように、モータが作動し、動力伝達部１４がこのモータにより駆動されることで、第１カメラ及び第２カメラが異なるタイミングで作動することとなる。より具体的には、動力伝達部１４がモータにより駆動されてｘ軸方向に移動するときに、ある区間では第１カメラがｙ軸方向に移動し、ある区間では第２カメラがｙ軸方向に移動することとなる。
【００５０】
＜（２）変形例２＞
本変形例のスマートフォン１では、実施形態の動力伝達部４が、動力伝達部２４に置き換えられている。動力伝達部２４は、第１カメラ、第２カメラ、第１カバー、及び第２カバーを作動させる。
【００５１】
本変形例のスマートフォン１は、変形例１と同様に、いずれもフロントカメラである第１カメラ及び第２カメラを有する。このスマートフォン１はさらに、第１カメラの収容部分の開口部を開閉するための蓋となる第１カバーと、第２カメラの収容部分の開口部を開閉するための蓋となる第２カバーとを有する。
【００５２】
＜動力伝達部２４＞
図１０は、本変形例の動力伝達部２４の平面図である。図９に示されるように、カム溝２４１、２４２、２４３、及び２４４を有する。カム溝２４１及び２４２はｚ軸＋側の面に溝状に形成され、カム溝２４３及び２４４はｚ軸−側の面に溝状に形成される。カム溝２４１には第１カバーの凸部が挿入され、カム溝２４２には第１カメラの凸部が挿入され、カム溝２４３には第２カバーの凸部が挿入され、カム溝２４４には第２カメラの凸部が挿入される。なお、カム溝２４１、２４２、２４３、及び２４４の勾配は、略同じであることが好ましい。または、第１カバー用のカム溝２４１と第２カバー用のカム溝２４３が略同じ勾配とし、第１カメラ用のカム溝２４２及び第２カメラ用のカム溝２４４が略同じ勾配としてする構成も好ましい。
【００５３】
図１０に示されるように、カム溝２４１は、ｘ軸−側の端部２４１ａからｘ軸＋側の端部２４１ｃまでの領域に形成され、ｘ軸に沿って直線状に延びる２４１ａから２４１ｂまでの部分と、ｘｙ平面において斜め方向に延びる２４１ｂから２４１ｃまでの部分とを有する。カム溝２４２は、ｘ軸−側の端部２４２ａからｘ軸＋側の端部２４２ｄまでの領域に形成され、ｘ軸に沿って直線状に延びる２４２ａから２４２ｂまでの部分、及び２４２ｃから２４２ｄまでの部分と、ｘｙ平面において斜め方向に延びる２４２ｂから２４２ｃまでの部分とを有する。カム溝２４３は、ｘ軸−側の端部２４３ａからｘ軸＋側の端部２４３ｄまでの領域に形成され、ｘ軸に沿って直線状に延びる２４３ａから２４３ｂまでの部分、及び２４３ｃから２４３ｄまでの部分と、ｘｙ平面において斜め方向に延びる２４３ｂから２４３ｃまでの部分とを有する。カム溝２４４は、ｘ軸−側の端部２４４ａからｘ軸＋側の端部２４４ｃまでの領域に形成され、ｘ軸に沿って直線状に延びる２４４ｂから２４４ｃまでの部分と、ｘｙ平面において斜め方向に延びる２４４ａから２４４ｂまでの部分とを有する。
【００５４】
動力伝達部２４がｘ軸方向に移動すると、動力伝達部２４のｘ軸方向の位置に応じて、ｙ軸方向における、カム溝２４１と第１カバーとの連結位置、カム溝２４２と第１カメラとの連結位置、カム溝２４３と第２カバーとの連結位置、及びカム溝２４４と第２カメラとの連結位置が変化する。つまり、動力伝達部２４がｘ軸方向に移動することで、第１カバー、第１カメラ、第２カバー、及び第２カメラが、異なるタイミングでｙ軸方向に移動することとなる。また、第１カバー及び第２カバーは、ｙ軸方向に加えｚ軸方向にも移動する。
【００５５】
第１カメラ及び第２カメラは、いずれもｙ軸方向にのみ移動する。第１カバー及び第２カバーは、ｙ軸方向及びｚ軸方向に移動する。変形例１と同様に、第１カメラ及び第２カメラが本体部５から突出した状態になると、双方のカメラで撮像可能な状態となる。具体的には、動力伝達部２４がｘ軸＋方向に移動するとき、最初に第１カバーがｚ軸−側及びｙ軸−側に移動し、次に第１カメラがｙ軸＋側に移動して本体部５から突出し、次に第２カバーがｚ軸−側及びｙ軸−側に移動し、次に第２カメラがｙ軸＋側に移動して本体部５から突出する。このような、動力伝達部２４がｘ軸方向に移動したときの、第１カバー、第１カメラ、第２カバー、及び第２カメラの動きは、実施形態におけるカバー２及びカメラ３の動きに類似しているため、ここではその説明を省略する。なお、変形例１と同様に、一方のカメラのみを本体部５から突出させて撮像する場合があってもよい。
【００５６】
このように、モータが作動し、動力伝達部２４がこのモータにより駆動されることで、第１カバー、第１カメラ、第２カバー、及び第２カメラが異なるタイミングで作動することとなる。より具体的には、動力伝達部２４がモータにより駆動されてｘ軸方向に移動するときに、ある区間では第１カバーがｚ軸及びｙ軸方向に移動し、ある区間では第１カメラがｙ軸方向に移動し、ある区間では第２カバーがｚ軸及びｙ軸方向に移動し、ある区間では第２カメラがｙ軸方向に移動することとなる。
【００５７】
＜（３）その他の変形例＞
その他、本発明は、実施形態、変形例１、及び変形例２から考えられる種々の変形例を含む。
【００５８】
例えば、動力伝達部は、第１カメラ、第２カメラ、及び第１カメラと第２カメラとで共用されるカバーに対して動力を与える構成としてもよい。
【００５９】
また、動力伝達部に形成される溝は、互いに干渉しない任意の面及び位置に形成してもよい。つまり、実施形態の動力伝達部４において、カム溝４１と４２は、ｙ軸方向の位置を変えることで、ｚ軸−側または＋側のいずれか一方の面に形成することも可能である。
【００６０】
また、動力伝達部は必ずしも１つに限定されるものではなく、例えば、カバーとカメラとを２組備える構成において、２つの動力伝達部を有する構成を採用してもよい。この場合には、動力伝達部を駆動するモータを２つ設けてもよいし、２つの動力伝達部を同時に駆動する１つのモータを設けてもよい。
【００６１】
＜３．本発明の特徴＞
上記実施形態及び変形例で具体例を説明した本発明は、以下のような特徴を有する。なお、以下の説明では理解を容易にするために、実施形態の構成に基づいて具体的に説明しているが、実施形態の構成に限定されるものではなく、本明細書で説明した変形例及びその他の変形例をも広く含むものである。
【００６２】
本発明の駆動機構は、撮像部であるカメラ３と、可動部であるカバー２と、動力伝達部４と、モータとを備え、動力伝達部が、モータの作動に応じてｘ軸方向に移動しつつカメラ３とカバー２とを異なる態様で作動させる構成としている。そのため、１つのモータでカメラ３とカバー２とを異なる態様で作動可能な構成とすることができる。これにより、カメラ３及びカバー２のために個別のモータを含む構成と比較して、小型かつ軽量な構成にすることを可能にしている。
【００６３】
なお、モータの作動に応じて作動する動力伝達部の動作方向は任意であるため、動力伝達部は、実施形態におけるｙ軸方向に移動してもよいし、ｘｙ平面における斜め方向に移動してもよいし、直線状でなく円弧状に移動してもよい。
【００６４】
また、本発明の駆動機構では、動力伝達部４が、モータの作動に応じて、第１のタイミングでカバー２を作動させ、第２のタイミングでカメラ３を作動させる構成としている。そのため、カバー２とカメラ３とが異なるタイミングで作動する構成とすることができる。これにより、例えば、カバー２を開放する動きと、カメラ３を突出させる動きとを１つのモータで実現させることができる。ひいては、カメラ３及びカバー２のために個別のモータを含む構成と比較して、小型かつ軽量な構成にすることなどが可能となる。
【００６５】
また、本発明の駆動機構では、カバー２が凸部２ａを有し、カメラ３が凸部３ａを有し、動力伝達部４が凹部となるカム溝４１及び４２を有する構成としている。これにより、カバー２及びカメラ３の凸部が動力伝達部の凹部に挿入され、動力伝達部の作動に応じて可動部及び撮像部が作動する簡易な構成にすることができる。
【００６６】
また、本発明の駆動機構では、カム溝４１及び４２のそれぞれが、ｘ軸に対して直線状に延びる部分と、ｘｙ平面において斜めに延びる部分とを有する構成としている。この構成により、凸部２ａ及び凸部３ａがそれぞれ直線状部分に位置している状態では、動力伝達部４が作動してもカバー２及びカメラ３が作動せず、凸部２ａ及び凸部３ａがそれぞれ斜めに延びる部分に位置している状態では、動力伝達部４の作動にあわせてカバー２及びカメラ３が作動する構成とすることができる。これにより、簡易な構成で、モータにより駆動される動力伝達部４の作動に合わせて、カバー２とカメラ３とが異なるタイミングで作動する構成にすることができる。
【００６７】
上記同様に、変形例１のように、動力伝達部１４の作動に合わせて第１カメラ及び第２カメラが異なるタイミングで作動する構成にすることもできる。また、変形例２のように、動力伝達部２４の作動に合わせて第１カバー、第１カメラ、第２カバー、及び第２カメラが異なるタイミングで作動する構成にすることもできる。
【００６８】
なお、動力伝達部により駆動される各構成は、同時に作動するタイミングがある構成としてもよい。
【００６９】
また、本発明の駆動機構では、実施形態のように、カメラ３と、カメラ３用のカバー２とを、動力伝達部４により作動させる構成とすることで、これらを１つのモータで電気的に駆動可能な構成とすることができる。これにより、カメラ３とカバー２とを有する構成を、小型かつ軽量に実現することができる。
【００７０】
また、本発明の駆動機構では、変形例１のように、第１カメラと第２カメラとを動力伝達部１４により作動させる構成とすることで、これらを１つのモータで電気的に駆動可能な構成とすることができる。これにより、第１カメラと第２カメラとを有する構成を、小型かつ軽量に実現することができる。
【００７１】
このように、本発明の駆動機構では、従来であればそれぞれにモータを設けていた複数の可動部材を、動力伝達部を用いて１つのモータで駆動可能な構成とすることが可能となる。
【００７２】
また、本発明の駆動機構は、実施形態で例示したスマートフォン１のみならず、タブレット機器、及びＰＣなどの情報端末用の駆動機構として適用されうる。このような情報端末では、例えば、カメラとカバーとを１つのモータで電気的に駆動可能な構成の情報端末にすることができる。これにより、カメラとカバーとを有する情報端末を、薄型、小型、及び軽量な構成とすることなどが可能となる。
【００７３】
＜４．補足事項＞
以上、本発明の実施形態、及び本発明の構成における特徴についての説明を行った。上記説明では、あくまで本発明の一例の説明であって、本発明の範囲は上記内容に留まらず、各実施形態の記載の内容に基づいて当業者が把握可能な範囲にまで広く解釈されるものである。
【００７４】
例えば、実施形態及び変形例では、動力伝達部４（または１４または２４）がカム溝を有する構成を例に挙げて説明したが、カム溝に代えて、動力伝達部を貫通するよう形成された貫通孔を有する構成としてもよい。
【００７５】
また、実施形態及び変形例では、動力伝達部にカム溝が形成され、可動部材となるカメラ及びカバーに凸部が形成される構成を例示して説明したが、動力伝達部に対してカメラ及びカバーが移動可能に連結されれば、別の構成としてもよい。例えば、動力伝達部と可動部材とが溝を有し、この溝に円筒状部材または球状部材が配置されるような構成を採用してもよい。
【産業上の利用可能性】
【００７６】
本発明は、情報端末用の駆動機構、及びスマートフォンなどの情報端末などとして好適に利用される。
【符号の説明】
【００７７】
１…スマートフォン
２…カバー
２ａ…凸部
３…カメラ
３ａ…凸部
４、１４、２４…動力伝達部
４１、４２、１４１、１４２、２４１、２４２、２４３、２４４…カム溝
５…本体部
【図１】
2020088418.tif 000003
【図２】
2020088418.tif 000004
【図３】
2020088418.tif 000005
【図４】
2020088418.tif 000006
【図５】
2020088418.tif 000007
【図６】
2020088418.tif 000008
【図７】
2020088418.tif 000009
【図８】
2020088418.tif 000010
【図９】
2020088418.tif 000011
【図１０】
2020088418.tif 000012